(57)【特許請求の範囲】
【請求項１】
被写体像を撮像して画像データを生成する撮像部と、
前記撮像部により所定被写体の像を撮像して得られた画像の所定領域の代表的画像データおよびその撮像条件を基準画像データおよび基準撮像条件として記憶するデータ取得用撮像を行うデータ取得用撮像制御部と、
前記データ取得用撮像が実行可能な状態にするための指示を行うユーザ操作を受け付けるデータ取得用撮像指示部と、
通常の被写体撮像を行なった場合にその撮像条件を一般撮像条件として記憶する一般撮像条件取得部と、
前記基準画像データおよび前記基準撮像条件と前記一般撮像条件とに基づいて、前記所定被写体の像を前記一般撮像条件で撮像したと仮定した場合の代表的画像データのレベルである基準レベルを算出する基準レベル算出部と、
前記基準レベルを前記通常の被写体撮像で生成された画像データに付加して記録する記録部と
を備えたことを特徴とする撮像装置。
【請求項２】
請求項１に記載の撮像装置において、
前記記録部は、前記通常の被写体撮像で生成された画像データについて、前記基準レベルが所定レベルとなるような画像処理を適用して記録する
ことを特徴とする撮像装置。
【請求項３】
請求項１または請求項２に記載の撮像装置において、
前記基準レベルは、拡散白色のレベルに関する拡散白色情報である
ことを特徴とする撮像装置。
【請求項４】
請求項３に記載の撮像装置において、
前記記録部は、ＲＡＷ形式で前記拡散白色情報を前記通常の被写体撮像で生成された画像データに付加して記録する
ことを特徴とする撮像装置。
【請求項５】
請求項３に記載の撮像装置において、
前記記録部は、ＪＰＥＧ形式で前記拡散白色情報を前記通常の被写体撮像で生成された画像データに付加して記録する
ことを特徴とする撮像装置。
【発明の詳細な説明】
【技術分野】
【０００１】
本発明は、被写体像を撮像して画像データを生成する撮像装置、および、その撮像装置により生成された画像データに対する画像処理を行う画像処理プログラムに関する。
【背景技術】
【０００２】
ディジタル画像は、デジタルカメラ、ディスプレイ、プリンタなどの機器で取り扱われている。ディジタル画像においては、信号の符号化の最大値であるデータが、最も輝度が高く、かつ無彩色を表現し、この点を白色として扱うことができる。例えば、白い紙（反射率が１００％に近い物体）が、ディジタル画像のある領域に写っていた場合、この領域のデータが最大値に近い状態であれば、概ね自然な明るさの見えとなる。しかし、常にそのような状態になるとは限らない。例えば、ディジタル画像内に上述した白い紙以外に、金属のように鏡面反射をする物体や光源など、白い紙よりも高輝度な輝度特性を有する物体が写っている場合がある。このような場合には、これらの高輝度の物体の像の階調性を飽和の無い良好な状態にするためには、相対的に白い紙に相当する領域の信号レベルを低めに調整する必要がある。
【０００３】
そこで、特許文献１の発明では、反射率が１００％に近い物体による拡散反射（完全拡散反射）の白を基準とした色域と、鏡面反射を含むことができる白を基準とした色域との計２つの色域を定義している。そして、このような定義をすることにより、カラーマネジメントにおいて、安定した明るさを再現することが可能になる。
【特許文献１】米国特許第２００５／００４７６４８号明細書
【発明の開示】
【発明が解決しようとする課題】
【０００４】
しかし、特許文献１の発明による定義を、電子カメラにより生成した画像データに適用する場合、拡散反射の白を基準とした色域に関して特許文献１の発明と同様に定義することはできない。これは、電子カメラでは、露出制御によって、画像データの画面全体の平均的な明るさが、最終出力状態の最大値に対して、一定の値（例えば、１８％）のエネルギー比になるように調整されるためである。ある画像において、被写体の反射率が満遍なく分布している場合には、拡散反射の白は信号レベルが比較的高くなるように調整される。しかし、鏡面反射をする物体や光源など、反射率の高い被写体が多くを占め、かつ、これらの被写体の階調性を保とうとする場合、拡散反射の白は信号レベルが比較的低くなるように調整される。したがって、電子カメラにより生成した画像データを、例えば、表示機器に出力する場合には、拡散反射の白を基準とした色域が統一されず、結果として、表示する画像データによってその明るさが統一されない場合があり好ましくない。
【０００５】
本発明は、画像データ内に反射特性の異なる白の領域が存在しても、それぞれの階調性を飽和の無い良好な状態とし、安定した明るさを再現することを目的とする。
【課題を解決するための手段】
【０００６】
本発明の一態様では、撮像装置は、被写体像を撮像して画像データを生成する撮像部と、前記撮像部により所定被写体の像を撮像して得られた画像の所定領域の代表的画像データおよびその撮像条件を基準画像データおよび基準撮像条件として記憶するデータ取得用撮像を行うデータ取得用撮像制御部と、前記データ取得用撮像が実行可能な状態にするための指示を行うユーザ操作を受け付けるデータ取得用撮像指示部と、通常の被写体撮像を行なった場合にその撮像条件を一般撮像条件として記憶する一般撮像条件取得部と、前記基準画像データおよび前記基準撮像条件と前記一般撮像条件とに基づいて、前記所定被写体の像を前記一般撮像条件で撮像したと仮定した場合の代表的画像データのレベルである基準レベルを算出する基準レベル算出部と、前記基準レベルを前記通常の被写体撮像で生成された画像データに付加して記録する記録部とを備える。
また、本発明に関連する技術として、以下のものがある。
本発明に関連する技術の撮像装置は、被写体像を撮像して画像データを生成する撮像部と、前記撮像部により基準被写体の像を撮像して生成した基準画像データと、前記基準画像データを生成した際の撮影条件と、前記基準被写体の反射特性とを取得する取得部と、前記基準画像データと前記撮影条件と前記反射特性とに基づいて、リファレンス情報を生成するリファレンス情報生成部とを備える。
【０００７】
本発明に関連する技術の別の撮像装置は、上述した本発明に関連する技術の撮像装置により生成された前記リファレンス情報を取得するリファレンス情報取得部と、被写体像を撮像して画像データを生成する撮像部と、前記撮像部により画像データを生成する際に、生成した前記画像データと前記リファレンス情報とを関連付けて記録する記録部とを備える。
【０００８】
本発明に関連する技術の別の撮像装置は、被写体像を撮像して画像データを生成する撮像部と、前記撮像部により基準被写体の像を撮像して生成した基準画像データと、前記基準画像データを生成した際の撮影条件と、前記基準被写体の反射特性とを取得する取得部と、前記基準画像データと前記撮影条件と前記反射特性とに基づいて、リファレンス情報を生成するリファレンス情報生成部と、前記撮像部により画像データを生成する際に、生成した前記画像データと前記リファレンス情報とを関連付けて記録する記録部とを備える。
【０００９】
なお、好ましくは、前記リファレンス情報と前記画像データを生成した際の撮影条件とに基づいて、拡散白色のレベルに関する拡散白色情報を生成する拡散白色情報生成部を備え、前記記録部は、前記画像データと前記拡散白色情報とを関連付けて記録しても良い。
【００１０】
また、好ましくは、前記基準被写体の反射特性に関する設定を行うユーザ操作を受け付ける受付部を備え、前記取得部は、前記ユーザ操作に基づいて、前記反射特性を取得しても良い。
【００１１】
また、好ましくは、前記記録部は、前記画像データと前記拡散白色情報とを、ＲＡＷ形式で関連付けて記録しても良い。
【００１２】
また、好ましくは、前記記録部は、前記画像データと前記拡散白色情報とを、ＪＰＥＧ形式で関連付けて記録しても良い。
【００１３】
本発明に関連する技術の画像処理プログラムは、上述した本発明に関連する技術の何れかの撮像装置により記録された前記画像データに対する画像処理を行う画像処理プログラムであって、前記画像データと、前記画像データに関連付けられた前記リファレンス情報とを取得する取得ステップと、前記リファレンス情報と前記画像データを生成した際の撮影条件とに基づいて、拡散白色のレベルに関する拡散白色情報を生成する拡散白色情報生成ステップと、前記拡散白色情報を用いて、前記画像データに階調変換処理を施す階調変換処理ステップとを備える。
【００１４】
なお、好ましくは、前記リファレンス情報を用いて、前記画像データに前記階調変換処理以外の画像処理を施す画像処理ステップを備えても良い。
【発明の効果】
【００１５】
本発明によれば、画像データ内に反射特性の異なる白の領域が存在しても、それぞれの階調性を飽和の無い良好な状態とし、安定した明るさを再現することができる。
【発明を実施するための最良の形態】
【００１６】
以下、図面を用いて本発明の実施形態について説明する。以下の実施形態では、本発明のカメラの一例として、一眼レフタイプの電子カメラを用いて説明する。
【００１７】
図１は、本実施形態の電子カメラ１の構成を示す図である。図１に示すように、電子カメラ１は、撮影レンズ２、絞り３、クイックリターンミラー４、サブミラー５、拡散スクリーン６、コンデンサレンズ７、ペンタプリズム８、ビームスプリッタ９、接眼レンズ１０、結像レンズ１１、測光センサ１２、シャッタ１３、撮像素子１４、焦点検出部１５の各部を備える。
【００１８】
測光センサ１２は、例えば、５分割の測光センサである。撮像素子１４は、例えばＣＣＤ（Charge Coupled Device）やＣＭＯＳ（Complementary Metal Oxide Semiconductor）などの半導体デバイスである。焦点検出部１５は、例えば、位相差方式の焦点検出を行い、撮影レンズ２の焦点状態を検出する。また、電子カメラ１は、測光センサ１２により検出される輝度に基づいて、コントラスト方式の焦点検出を行い、撮影レンズ２の焦点状態を検出する。位相差方式の焦点検出とコントラスト方式の焦点検出とのどちらを行うかは、ユーザ操作に応じて設定可能とするのが好ましい。また、位相差方式の焦点検出とコントラスト方式の焦点検出とを組み合わせて撮影レンズ２の焦点状態を検出する構成としても良い。
【００１９】
また、電子カメラ１は、撮像により生成された画像などを表示する液晶モニタなどのモニタ１６、各部を制御する制御部１７をさらに備える。制御部１７は、内部に不図示のメモリを備え、各部を制御するためのプログラムを予め記録する。
【００２０】
非撮影時、すなわち撮影を行わない場合には、クイックリターンミラー４は、図１に示すように、４５°の角度に配置される。そして、撮影レンズ２および絞り３を通過した光束は、クイックリターンミラー４で反射され、拡散スクリーン６、コンデンサレンズ７、ペンタプリズム８、ビームスプリッタ９を介して接眼レンズ１０に導かれる。ユーザは、接眼レンズ１０を介して被写体の像を目視することにより構図確認を行う。すなわち、接眼レンズ１０は、ファインダとして機能する。一方、ビームスプリッタ９により、上方に分割された光束は、結像レンズ１１を介して測光センサ１２の撮像面上に再結像される。また、クイックリターンミラー４を透過した光束は、サブミラー５を介して焦点検出部１５に導かれる。
【００２１】
一方、撮影時には、クイックリターンミラー４が、破線で示す位置に退避してシャッタ１３が開放し、撮影レンズ２からの光束は撮像素子１４に導かれる。
【００２２】
図２は、本実施形態の電子カメラ１の機能ブロック図である。図２に示すように、電子カメラ１は、図１の構成に加えて、タイミングジェネレータ２０、信号処理部２１、Ａ／Ｄ変換部２２、バッファメモリ２３、バス２４、カードインターフェース２５、圧縮伸長部２６、画像表示部２７、通信部３０の各部を備える。タイミングジェネレータ２０は、撮像素子１４に出力パルスを供給する。また、撮像素子１４で生成される画像データは、信号処理部２１（撮像感度に対応するゲイン調整部を含む）およびＡ／Ｄ変換部２２を介して、バッファメモリ２３に一時記憶される。バッファメモリ２３は、バス２４に接続される。このバス２４には、カードインターフェース２５、図１で説明した制御部１７、圧縮伸張部２６、画像表示部２７、および通信部３０が接続される。カードインターフェース２５は、着脱自在なメモリカード２８と接続し、メモリカード２８に画像データを記録する。また、制御部１７には、電子カメラ１のスイッチ群２９（不図示のレリーズ釦などを含む）、タイミングジェネレータ２０、および測光センサ１２が接続される。さらに、画像表示部２７は、電子カメラ１の背面に設けられたモニタ１６に画像などを表示する。また、通信部３０は、電子カメラ１の外部機器と相互に接続可能であり、無線または有線により各種情報の授受が可能である。
【００２３】
次に、以上説明した構成の電子カメラ１の動作について説明する。
【００２４】
まず、リファレンス撮影について、図３に示すフローチャートを用いて説明する。リファレンス撮影は、本撮影に先だって行われる撮影であり、拡散反射の白のレベルを定量化するために必要なリファレンス情報を取得するための撮影である。また、リファレンス撮影においては、通常の撮影（以下、「本撮影」と称する）とは異なり、撮影により生成した画像データは一時的にバッファメモリ２３に記憶されるが、メモリカード２８などの記録媒体などに記録されない。また、リファレンス撮影における撮影対象は、グレー板や、標準拡散板などといった無彩色の被写体（以下、「基準被写体」と称する）である。なお、リファレンス撮影の実行指示は、スイッチ群２９を介したユーザ操作や、モニタ１６へのメニュー表示などにより行われる。
【００２５】
リファレンス撮影の実行が指示されると、ステップＳ１において、制御部１７は、画像表示部２７を制御して、ファインダ内にリファレンス領域を表示する。リファレンス領域とは、後述するリファレンス白色データを求める対象となる領域である。制御部１７は、例えば、図４に示すように、ファインダ内にリファレンス領域を示す枠Ｆを表示する。また、この枠Ｆ内は、基準被写体で満たされていることが好ましいので、制御部１７は、例えば、図４に示すように、ファインダ内にメッセージＭ１を表示しても良い。
【００２６】
ステップＳ２において、制御部１７は、スイッチ群２９を介してユーザにより撮像開始が指示されたか否かを判定する。制御部１７は、撮像開始が指示されるまで待機し、撮像開始が指示されたと判定するとステップＳ３に進む。
【００２７】
ステップＳ３において、制御部１７は、測光センサ１２の出力に基づいて、リファレンス撮影条件を決定する。制御部１７は、リファレンス撮影条件として、例えば、ＩＳＯ感度Ｉ0、シャッタスピードＴ0、絞り値Ｆ0を決定する。
【００２８】
ステップＳ４において、制御部１７は、ステップＳ３で決定したリファレンス撮影条件（ＩＳＯ感度Ｉ0、シャッタスピードＴ0、絞り値Ｆ0）を制御部１７内の不図示のメモリに記憶する。
【００２９】
ステップＳ５において、制御部１７は、各部を制御してリファレンス撮影を行い、画像データを生成する。このとき、制御部１７は、リファレンス撮影により生成した画像データが適切なものであるか評価し、階調が上下端において飽和しているおそれがある場合などには、モニタ１６などを用いてユーザに報知する構成としても良い。
【００３０】
ステップＳ６において、制御部１７は、ステップＳ５において生成した画像データから、リファレンス白色データを求める。リファレンス白色データ（Ｒ0，Ｇ0，Ｂ0）は、ステップＳ５において生成した画像データのうち、ステップＳ１で説明したリファレンス領域における画像データの値について、ＲＧＢ各色毎に平均値を算出することにより求められる。
【００３１】
ステップＳ７において、制御部１７は、ステップＳ６で求めたリファレンス白色データ（Ｒ0，Ｇ0，Ｂ0）を制御部１７内の不図示のメモリに記憶する。
【００３２】
ステップＳ８において、制御部１７は、画像表示部２７を制御して、モニタ１６に反射特性設定画面を表示する。制御部１７は、例えば、図５に示す反射特性設定画面をモニタ１６に表示する。図５の例では、設定可能な基準被写体として、「１８％グレー板」と「標準拡散板」とが挙げられている。また、「反射率数値指定」とは、基準被写体の反射率を数値指定する設定項目である。ユーザは、モニタ１６を目視しながら項目の選択を行うことにより、基準被写体の反射特性を設定する。
【００３３】
ステップＳ９において、制御部１７は、スイッチ群２９を介してユーザにより反射特性が設定されたか否かを判定する。制御部１７は、反射特性が設定されるまで待機し、反射特性が設定されたと判定するとステップＳ１０に進む。
【００３４】
ステップＳ１０において、制御部１７は、ステップＳ９で設定された反射特性に基づき、例えば、基準被写体の反射率ｎを制御部１７内の不図示のメモリに記憶し（例えば、１８％グレー板の反射率ｎ＝０．１８である）、リファレンス撮影を終了する。
【００３５】
なお、リファレンス撮影が終了した時点では、リファレンス撮影条件（ＩＳＯ感度Ｉ0、シャッタスピードＴ0、絞り値Ｆ0）と、リファレンス白色データ（Ｒ0，Ｇ0，Ｂ0）と、基準被写体の反射率ｎとが制御部１７内の不図示のメモリに記憶されていることになる。
【００３６】
なお、図３のフローチャートの例では、ステップＳ５においてリファレンス撮影を行った後に、反射特性の設定を行う例を示したが、リファレンス撮影を行う前に反射特性の設定を行う構成としても良い。
【００３７】
また、電子カメラ１が閃光装置を備える場合には、反射特性の設定を自動で行うこともできる。例えば、閃光装置を発光・非発光で２回のリファレンス撮影を行い、発光時の画像データと非発光の画像データとの差分データを算出する。そして、この差分データの、基準被写体が完全拡散反射の物体である場合の差分データに対する割合を算出することにより、反射率ｎを求めることができる。この場合、基準被写体が完全拡散反射の物体である場合の差分データを予め実験等で求め、電子カメラ１内に記録しておけば良い。
【００３８】
このような反射特性の自動設定は、ユーザの指定によりＯＮ／ＯＦＦ可能とするのが好ましい。また、リファレンス撮影の前または後における反射特性の設定が行われない場合や、設定にエラーが発生した場合などに、閃光装置を用いた反射特性の自動設定を行う構成としても良い。
【００３９】
次に、本撮影について、図６に示すフローチャートを用いて説明する。なお、本撮影の開始時点では、上述したリファレンス撮影が既に行われているものとする。また、本撮影時の環境光は、リファレンス撮影時の環境光と変化していないものとする。
【００４０】
ステップＳ２１において、制御部１７は、スイッチ群２９を介してユーザにより撮像開始が指示されると、ステップＳ２２に進む。
【００４１】
ステップＳ２２において、制御部１７は、測光センサ１２の出力に基づいて、本撮影条件を決定する。制御部１７は、本撮影条件として、例えば、ＩＳＯ感度Ｉ、シャッタスピードＴ、絞り値Ｆを決定する。
【００４２】
ステップＳ２３において、制御部１７は、ステップＳ２２で決定した本撮影条件（ＩＳＯ感度Ｉ、シャッタスピードＴ、絞り値Ｆ）を制御部１７内の不図示のメモリに記憶する。
【００４３】
ステップＳ２４において、制御部１７は、各部を制御して本撮影を行い、画像データを生成する。
【００４４】
ステップＳ２５において、制御部１７は、ステップＳ２４において生成した画像データから、拡散白色データ（ＷR，ＷG，ＷB）を求める。拡散白色データ（ＷR，ＷG，ＷB）は、以下の式１から式３により求められる。
【００４５】
ＷR＝Ｒ0・(Ｉ／Ｉ0)-1・(Ｔ／Ｔ0)・(Ｆ2／Ｆ02)・(１／ｎ)  …（式１）
ＷG＝Ｇ0・(Ｉ／Ｉ0)-1・(Ｔ／Ｔ0)・(Ｆ2／Ｆ02)・(１／ｎ)  …（式２）
ＷB＝Ｂ0・(Ｉ／Ｉ0)-1・(Ｔ／Ｔ0)・(Ｆ2／Ｆ02)・(１／ｎ)  …（式３）
ステップＳ２６において、制御部１７は、ステップＳ２５で求めた拡散白色データ（ＷR，ＷG，ＷB）を用いて、ステップＳ２４において生成した画像データに対する階調変換処理を行う。ステップＳ２４において生成した画像データをＲＡＷデータ（Ｒraw，Ｇraw，Ｂraw）とすると、制御部１７は、まず、以下の式４から式６を用いて、ＲＡＷデータ（Ｒraw，Ｇraw，Ｂraw）を規格化する。
【００４６】
Ｒ1＝(１／ＷG)・(ＷG／ＷR)・Ｒraw＝(１／ＷR)・Ｒraw  …（式４）
Ｇ1＝(１／ＷG)・(ＷG／ＷG)・Ｇraw＝(１／ＷG)・Ｇraw  …（式５）
Ｂ1＝(１／ＷG)・(ＷG／ＷB)・Ｂraw＝(１／ＷB)・Ｂraw  …（式６）
次に、制御部１７は、規格化後のＲＡＷデータ（Ｒ1，Ｇ1，Ｂ1）に対して、以下の式７および式８を用いて入出力関係の階調変換処理を行う。
【００４７】
ｙ＝ｆ(ｘ)  （ただしｘ≦１）  …（式７）
ｙ＝ｆ'(１)・(ｘ−１)＋ｆ(１)  （ただしｘ＞１）  …（式８）
式７および式８において、ｘは入力を示し、ｙは出力を示す。また、図７にｘとｙとの関係を示すグラフ（階調変換カーブ）を示す。
【００４８】
式７および式８を用いた階調変換処理により、拡散白色データ（ＷR，ＷG，ＷB）を、常に同じ明るさに再現することができる。例えば、図７において拡散白色データＷR＝ｗであるとすると、拡散白色データＷR＝ｗ／２の場合は、図８に示す階調変換カーブが適用されることになる。
【００４９】
ステップＳ２７において、制御部１７は、圧縮伸長部２６を制御して、ステップＳ２６階調変換処理を行った画像データに対する圧縮処理を行う。
【００５０】
ステップＳ２８において、制御部１７は、ステップＳ２７で圧縮処理が行われた画像データを、カードインターフェース２５を介してメモリカード２８に記録し、本撮影を終了する。
【００５１】
＜変形例＞
なお、上記実施形態では、リファレンス撮影と本撮影とを同じ電子カメラで行う場合を例に挙げて説明したが、リファレンス撮影と本撮影とを別々の機器で行う構成としても良い。このような構成は、例えば報道撮影など、同一の環境光条件において、複数の同一特性の電子カメラで撮影する場合などに有用である。この場合、１つのデジタルカメラでリファレンス撮影を行い、リファレンス情報を無線通信などで他の同一特性の電子カメラに送信すれば良い。そして、送信を受けた電子カメラにおいては、リファレンス情報を用いて、上述した本撮影を行うことができる。なお、リファレンス情報としては、リファレンス撮影条件（ＩＳＯ感度Ｉ0、シャッタスピードＴ0、絞り値Ｆ0）と、リファレンス白色データ（Ｒ0，Ｇ0，Ｂ0）と、基準被写体の反射率ｎの他に、リファレンス撮影により生成した画像データそのもの（ただし、リファレンス領域のアドレスを含む）や、基準被写体の種類を示す情報なども利用可能である。また、発光時および非発光の画像データそのものをリファレンス情報としても良い。さらに、リファレンス情報は必ずしも電子カメラにより生成されたものである必要はなく、露光計などの機器により生成されたものであっても良い。また、リファレンス情報の一部をユーザ操作に基づいて取得する構成であっても良い。
【００５２】
また、コンピュータと画像処理プログラムとにより、本実施形態で説明した処理をソフトウェア的に実現しても良い。この場合、図６のフローチャートで説明したステップＳ２５以降の処理の一部または全部をコンピュータで実現する構成とすれば良い。コンピュータで実現するためには、本撮影により生成した画像データとともに、上述したリファレンス情報や、本撮影条件（ＩＳＯ感度Ｉ、シャッタスピードＴ、絞り値Ｆ）、拡散白色データ（ＷR，ＷG，ＷB）などをコンピュータに供給すれば良い。このような情報は画像データのＥＸＩＦ情報などを利用して供給することができる。なお、本撮影により生成した画像データに対して、ＪＰＥＧ圧縮などの圧縮処理を施す場合には、拡散白色データ（ＷR，ＷG，ＷB）についても同様の圧縮処理を施してリファレンス情報とするのが好ましい。
【００５３】
また、上記実施形態で説明した処理をプリセットホワイトバランスと組み合わせて同時に実行する構成としても良い。プリセットホワイトバランスは、上述したリファレンス撮影と同様の処理を行い、ホワイトバランス用のパラメータを得るものである。したがって、上述したリファレンス撮影の結果を利用して、ホワイトバランス用のパラメータを求める構成としても良い。
【００５４】
以上説明したように、本実施形態によれば、基準被写体の像を撮像して生成した基準画像データと、基準画像データを生成した際の撮影条件と、基準被写体の反射特性とを取得し、取得した情報に基づいて、リファレンス情報を生成する。したがって、このリファレンス情報を用いて階調変換処理を行うことにより、画像データ内に反射特性の異なる白の領域が存在しても、それぞれの階調性を飽和の無い良好な状態とし、安定した明るさを再現することができる。
【００５５】
なお、本実施形態では、リファレンス情報を用いて階調変換処理を行う例を説明したが、階調変換処理以外の処理にリファレンス情報を用いても良い。例えば、ゲイン調整などにリファレンス情報を用いても良い。
【００５６】
また、本実施形態では、本発明の技術を電子カメラ１において実現する例について説明した。しかしながら、本発明はこれに限定されるものではない。例えば、コンパクトタイプの電子カメラや動画撮影を行うムービーカメラなどにも本発明を同様に適用することができる。
【００５７】
また、本発明は、その精神または主要な特徴から逸脱することなく、他のいろいろな形で実施することができる。そのため、前述の実施例はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する変形や変更は、すべて本発明の範囲内のものである。
【図面の簡単な説明】
【００５８】
【図１】本実施形態の電子カメラ１の構成を示す図である。
【図２】本実施形態の電子カメラ１の機能ブロック図である。
【図３】リファレンス撮影について説明するフローチャートである。
【図４】リファレンス領域について説明する図である。
【図５】反射特性設定画面について説明する図である。
【図６】本撮影について説明するフローチャートである。
【図７】階調変換カーブを示す。
【図８】階調変換カーブを示す。
【符号の説明】
【００５９】
１…電子カメラ、２…撮影レンズ、１４…撮像素子、１６…モニタ、１７…制御部、２３…バッファメモリ、２７…画像表示部、２９…スイッチ群、３０…通信部
【図１】
0005082996.tif 000002
【図２】
0005082996.tif 000003
【図３】
0005082996.tif 000004
【図４】
0005082996.tif 000005
【図５】
0005082996.tif 000006
【図６】
0005082996.tif 000007
【図７】
0005082996.tif 000008
【図８】
0005082996.tif 000009